【手続補正書】
【提出日】平成19年9月12日(2007.9.12)
【手続補正１】
【補正対象書類名】特許請求の範囲
【補正対象項目名】請求項５
【補正方法】変更
【補正の内容】
【請求項５】
前記取得手段は、画像読み取り装置、ファクシミリ受信回路、またはプリントジョブ受信回路である、請求項１ないし４の何れか１項に記載の画像処理装置。
【手続補正２】
【補正対象書類名】特許請求の範囲
【補正対象項目名】請求項６
【補正方法】変更
【補正の内容】
【請求項６】
前記所定の記憶装置は、ネットワークを介して複数の画像処理装置によって共有されている、請求項１ないし５の何れか１項に記載の画像処理装置。
【手続補正３】
【補正対象書類名】特許請求の範囲
【補正対象項目名】請求項１０
【補正方法】変更
【補正の内容】
【請求項１０】
前記記憶手段に記憶された前記リンク情報および前記画像データを前記所定の記憶装置へと転送する転送手段をさらに含む、請求項７ないし９の何れか１項に記載の画像処理システム。
【手続補正４】
【補正対象書類名】特許請求の範囲
【補正対象項目名】請求項１２
【補正方法】変更
【補正の内容】
【請求項１２】
少なくとも第１及び第２の画像処理装置を含む画像処理システムの制御方法であって、
前記第２の画像処理装置において、画像データを取得するステップと、
前記第２の画像処理装置において、取得した前記画像データについて検索要求を前記第１の画像処理装置に送信するステップと、
前記第１の画像処理装置において、前記第２の画像処理装置から前記検索要求を受信するステップと、
前記第１の画像処理装置において、前記検索要求の対象となっている画像データに対して実質的に同一とみなせる関連画像データが、将来の追跡調査のために所定の記憶装置に記憶されているかを判定するステップと、
前記第１の画像処理装置において、前記関連画像データが記憶されていた場合に、該関連画像データのリンク情報を前記第２の画像処理装置に送信するステップと、
前記第２の画像処理装置において、前記第１の画像処理装置から、前記検索要求に対する応答として前記リンク情報を受信するステップと、
前記第２の画像処理装置において、前記リンク情報を受信した場合には、受信した前記画像データを記憶する代わりに、該関連画像データへのリンク情報を記憶し、前記リンク情報を受信できなかった場合には、受信した前記画像データを記憶するステップと
を含む画像処理システムの制御方法。
【手続補正５】
【補正対象書類名】明細書
【補正対象項目名】００１３
【補正方法】変更
【補正の内容】
【００１３】
チェイシングサーバ１０９は、ストレージサーバ１０５や履歴サーバ１０６のデータを吸い上げてまとめるサーバである。複数の複合機１０１、ストレージサーバ１０５、および履歴サーバ１０６が存在する環境下において、チェイシングチェイシングサーバ１０９を配置することにより、セキュリティ追跡調査用の管理のデータを一元的に管理することが可能となる。
【手続補正６】
【補正対象書類名】明細書
【補正対象項目名】００２０
【補正方法】変更
【補正の内容】
【００２０】
判定部２０３は、取得部２０１により取得された画像データに対して実質的に同一とみなせる画像データ（関連画像データと称す。）が記憶装置２０２に記憶されているかを判定する。判定部２０３は、チェイシングサーバ１０９、複合機１０１または複合機１１０などに搭載される。関連画像データは、取得画像データに完全に一致する画像データであることが望ましいが、所定の閾値を超えて類似している画像データが含まれてもよい。複写の繰り返し等によりオリジナル（関連画像データ）から劣化した取得され画像データについても、リンク情報に置換する必要があるからである。
【手続補正７】
【補正対象書類名】明細書
【補正対象項目名】００３３
【補正方法】変更
【補正の内容】
【００３３】
ステップＳ６０１において、ＣＰＵ４０１は、図３で用いたサブルーチンを実行する。たとえば、ＣＰＵ４０１は、スキャナ４７０により原稿が読み取られ、スキャナ画像処理部４１７により生成された画像データをページごとにＨＤＤ４０４へと記憶する（Ｓ３０１）。ＣＰＵ４０１は、ＨＤＤ４０４に記憶された画像データを読み出し、関連画像データを検索し（Ｓ３０２）、関連画像データが存在するか否かを判定する（Ｓ３０３）。存在すれば、ＣＰＵ４０１は、関連画像データのＵＲＩを、ネットワークＩ／Ｆ４０８を介して所定のストレージサーバ１０５へと格納する（Ｓ３０４）。一方、存在しなければ、ＣＰＵ４０１は、取得した画像データをネットワークＩ／Ｆ４０８を介して所定のストレージサーバ１０５へと格納する（Ｓ３０５）。
【手続補正８】
【補正対象書類名】明細書
【補正対象項目名】００４８
【補正方法】変更
【補正の内容】
【００４８】
第１の文書９０１は、複合機１１０がファクシミリ装置１０２から受信したファクシミリ画像を示している。第１の文書９０１は、第１のヘッダー９０２、本文９０３、第１のフッター９０４から構成されている。第２の文書９１１は、複合機１０１が複合機１１０から受信した画像データを示している。第２の文書９１１は、第２のヘッダー９１２、本文９０３、および第２のフッター９１４から構成されている。第１の文書９０１と第２の文書９１１とでは、本文９０３は同一であるが、ヘッダー部やフッター部は転送に際して書き換えられるため内容が異なっている。
【手続補正９】
【補正対象書類名】明細書
【補正対象項目名】００５５
【補正方法】変更
【補正の内容】
【００５５】
ＰＯＳは、画像の左上端（開始位置）を示している。また、ＳＩＺＥは、画像の縦及び横のサイズを示している。なおこの例では、座標の原点を第１の文書９０１の左上端にとっている。ＤＰＩは、該当ブロックの解像度を内容とするタグである。
【手続補正１０】
【補正対象書類名】明細書
【補正対象項目名】００７３
【補正方法】変更
【補正の内容】
【００７３】
次に、サーバ側の処理について説明する。チェイシングサーバ１０９には、ＣＰＵ１４０１、ＲＡＭ１４０２、ＲＯＭ１４０３、ネットワークＩ／Ｆ１４０４およびハードディスクドライブ１４０５が含まれている。サーバ１０９は、ＲＯＭ１４０３に記憶されているブートプログラムによって起動すると、図１３に示すフローチャートに従った処理を実行する。本フローチャートは、制御プログラム１４０６の処理に対応している。
【手続補正１１】
【補正対象書類名】明細書
【補正対象項目名】００７７
【補正方法】変更
【補正の内容】
【００７７】
ステップＳ１３０６において、ＣＰＵ１４０１は、複合機から比較用の画像データ（上述の取得画像データ）を受信し、ＲＡＭ１４０２に記憶する。なお、検索要求の段階で取得画像データを受信するようにフローチャートを構成する場合は、ステップＳ１３０６は省略できる。
【手続補正１２】
【補正対象書類名】明細書
【補正対象項目名】００９３
【補正方法】変更
【補正の内容】
【００９３】
ステップＳ１６０２において、ＣＰＵ１４０１は、置換されるべき画像データをストレージサーバ１０５（ＨＤＤ１４０５）から読み出す。置換されるべき画像データは、ストレージサーバ１０５に登録されている全画像データであってもよいが、処理の効率化の観点からは、前回置換処理を実行した後に新規に登録された画像データを対象とすることが好ましい。
【手続補正１３】
【補正対象書類名】明細書
【補正対象項目名】０１００
【補正方法】変更
【補正の内容】
【０１００】
図１７は、実施形態に係るリンク情報への置換処理を説明するための図である。この例では、バリアブルプリントデータによって、３つの宛先Ａ、Ｂ、Ｃのために３つの文書（第１の文書１７０１、第２の文書１７０２、第３の文書１７０３）を複合機１０１が作成する。各文書１７０１〜１７０３の各本文画像は、いずれも同一の画像データである。複合機１０１のＣＰＵ４０１は、バリアブルプリントデータに基づいて、データベース／メールサーバ１０３に登録されている３つの宛先情報を取得し、文書ごとに宛先情報を書き換えてプリントする。
【手続補正１４】
【補正対象書類名】図面
【補正対象項目名】図９
【補正方法】変更
【補正の内容】
【図９】
2006081119.tif 000001
【手続補正１５】
【補正対象書類名】図面
【補正対象項目名】図１２
【補正方法】変更
【補正の内容】
【図１２】
2006081119.tif 000002
【手続補正１６】
【補正対象書類名】図面
【補正対象項目名】図１４
【補正方法】変更
【補正の内容】
【図１４】
2006081119.tif 000003